(57)【要約】【課題】本発明は、ナビゲーション装置とそれを用いたナビゲーションシステムに関するもので、使い勝手を向上することを目的とするものである。【解決手段】本発明においては、特定の定点カメラ１から取得したリアルタイム映像が不鮮明な場合には、前記制御部７が、前記データセンター３に保存された、前記特定の定点カメラ１から送信された鮮明な保存映像を取得する構成としたものであるので、鮮明な映像を基に、そのルートを選択するか、否かの判断等を行うことが出来、使い勝手の良いものとなる。【選択図】図１
2013190261.tif 000002
【特許請求の範囲】
【請求項１】
表示部と、この表示部に接続された制御部と、この制御部に接続された位置検出手段、操作入力手段、データ格納手段、映像処理手段とを備え、前記制御部に、定点カメラとデータセンターとの通信が可能な通信手段を接続するとともに、前記制御部は、特定の定点カメラから取得したリアルタイム映像が不鮮明な場合に、前記データセンターに保存された、前記特定の定点カメラから送信された鮮明な保存映像を取得する構成としたナビゲーション装置。
【請求項２】
制御部は、通信手段を介して、定点カメラからの映像と音声を取得する構成とした請求項１に記載のナビゲーション装置。
【請求項３】
各地の定点に配置された複数の定点カメラと、これら複数の定点カメラとネットワークを介して接続されたデータセンターと、これら複数の定点カメラ、およびデータセンターと通信可能状態に接続された請求項１または２に記載のナビゲーション装置とを有するナビゲーションシステム。
【発明の詳細な説明】
【技術分野】
【０００１】
本発明は、定点カメラからの映像を取得することが出来るナビゲーション装置とそれを用いたナビゲーションシステムに関するものである。
【背景技術】
【０００２】
従来のこの種、ナビゲーション装置の構成は、以下のようなものとなっている。
すなわち、表示部と、この表示部に接続された制御部と、この制御部に接続された位置検出手段、操作入力手段、データ格納手段、映像処理手段とを備え、前記制御部に、定点カメラとデータセンターとの通信が可能な通信手段を接続した構成となっている（例えば下記特許文献１）。
【先行技術文献】
【特許文献】
【０００３】
【特許文献１】特開２００５−２９１９８１号公報
【発明の概要】
【発明が解決しようとする課題】
【０００４】
上記従来例においては、表示部に、目的地までの道路等に設置された定点カメラのリアルタイム映像を、表示させることが出来るので、適切な経路選択が行えるようになる。
【０００５】
例えば、渋滞がどのような理由によるものかを現地映像で理解し、それによって、そのルートを選択するのか、または回避するのかも判断することが出来るようになる。
【０００６】
しかしながら、リアルタイム映像が確認できるというだけでは、使い勝手を向上させることが出来ない場合がある。
【０００７】
すなわち、夜間において、映像が不鮮明な状況では、リアルタイム映像を確認しただけでは、そのルートを選択するか否かの判断が出来ない場合もある。
【０００８】
例えば、夜間において、雨が降っている場合、リアルタイム映像は極めて不鮮明な事も多く、その場合には、定点カメラ近傍に存在する川と道路との高低差、あるいは、道路とそれに接する山の傾斜状態等が理解できない状況となることも多い。
【０００９】
したがって、このような場合には、どちらのルートを選択したほうが、雨による影響を受けにくいかを判断できず、使い勝手が悪くなることもある。
【００１０】
そこで、本発明は、利便性を高めることを目的とするものである。
【課題を解決するための手段】
【００１１】
そしてこの目的を達成するために本発明は、表示部と、この表示部に接続された制御部と、この制御部に接続された位置検出手段、操作入力手段、データ格納手段、映像処理手段とを備え、前記制御部に、定点カメラとデータセンターとの通信が可能な通信手段を接続するとともに、前記制御部は、特定の定点カメラから取得したリアルタイム映像が不鮮明な場合に、前記データセンターに保存された、前記特定の定点カメラから送信された鮮明な保存映像を取得する構成とし、これにより所期の目的を達成するものである。
【発明の効果】
【００１２】
以上のように本発明は、表示部と、この表示部に接続された制御部と、この制御部に接続された位置検出手段、操作入力手段、データ格納手段、映像処理手段とを備え、前記制御部に、定点カメラとデータセンターとの通信が可能な通信手段を接続するとともに、前記制御部は、特定の定点カメラから取得したリアルタイム映像が不鮮明な場合に、前記データセンターに保存された、前記特定の定点カメラから送信された鮮明な保存映像を取得する構成としたものであるので、使い勝手の良いものとなる。
【００１３】
すなわち、本発明においては、前記制御部は、特定の定点カメラから取得したリアルタイム映像が不鮮明な場合に、前記データセンターに保存された、前記特定の定点カメラから送信された鮮明な保存映像を取得する構成としたものであるので、鮮明な映像を基に、そのルートを選択するか、否かの判断等を行うことが出来、使い勝手の良いものとなるのである。
【図面の簡単な説明】
【００１４】
【図１】本発明の一実施形態のナビゲーション装置とそれを用いたナビゲーションシステムを示す図
【図２】同制御ブロック図
【図３】同表示部を示す図
【図４】同表示部を示す図
【図５】同表示部を示す図
【図６】同動作フローチャート
【図７】同定点カメラの情報を示す図
【図８】同表示部を示す図
【図９】同表示部を示す図
【発明を実施するための形態】
【００１５】
以下、本発明の一実施形態を、添付図面を用いて説明する。
（実施の形態１）
図１において、１は各地の定点に配置された複数の定点カメラで、これら複数の定点カメラ１はネットワーク２を介してデータセンター３とアクセスポイント（例えばＷｉ−Ｆｉ登録商標）４に接続されている。
【００１６】
また、アクセスポイント４とナビゲーション装置５は通信可能状態となっている。
【００１７】
ナビゲーション装置５は、図２に示すように、表示部６と、この表示部６に接続された制御部７と、この制御部７に接続された位置検出手段８、操作入力手段９、データ格納手段１０、映像処理手段１１とを備えており、この構成は極めて一般的なものなので、説明の煩雑化を避けるため、説明は簡略化する。
【００１８】
本実施形態で特徴的なのは、前記制御部７に、定点カメラ１の通信手段１２、およびデータセンター３の通信手段１３との通信が可能な通信手段１４を接続した事と、前記制御部７が、特定の定点カメラ１から取得したリアルタイム映像が不鮮明な場合に、前記データセンター３に保存された、前記特定の定点カメラ１から送信された鮮明な保存映像を取得する構成とした事である。
【００１９】
以下、この特徴点を中心に説明を行う。
【００２０】
先ず、定点カメラ１はリアルタイム映像を、通信手段１２、１４、ネットワーク２およびアクセスポイント４を介してナビゲーション装置５に提供することが出来るようになっている。
【００２１】
また、これと同時に、定点カメラ１はリアルタイム映像を、通信手段１２、１３、ネットワーク２およびアクセスポイント４を介してデータセンター３に提供することが出来るようになっている。
【００２２】
さらに、データセンター３は、定点カメラ１から提供されたリアルタイム映像を例えば、１０分単位で保存すること出来るようになっている。
【００２３】
このような状況において、ナビゲーション装置５において、操作入力手段９によって目的地を入力すると（図６のＳ１）、制御部７によって、表示部６には図３のごとく、例えば３つのＡルート、Ｂルート、Ｃルートが表示される（図６のＳ２）。
【００２４】
続いて、今回のＡ、Ｂ、Ｃルートに、定点カメラ１が存在するか否かの判定が行われる（図６のＳ３）。
【００２５】
この判定は、各定点カメラ１にその地図情報等（例えば図７の地点名称、アドレスＩＰ情報、ＧＰＳ情報、高さデータ、アングルベクトルデータ、日時データ）が保存されているので、その情報を取得することで、図４のごとく表示部６に表示することが出来る。
【００２６】
なお、各定点カメラ１の地図情報等（図７）は、データセンター３に保存するようにしても良い。
【００２７】
この図４では、Ａルート、Ｂルート、Ｃルートにそれぞれ定点カメラ１が存在したので、その操作部１５が表示されている（図６のＳ４）。
【００２８】
そして、操作者が操作部１５を操作すると（図６のＳ５）、制御部７は、操作された定点カメラ１にアクセスし（図６のＳ６）、次に、アクセスした定点カメラ１からの映像をオンライン取得できるか否かの判定を行う（図６のＳ７）。
【００２９】
（図６のＳ７）において、クセスした定点カメラ１からの映像をオンライン取得できる場合には、次に、リアルタイム映像が鮮明か、否かの判定が行われ（図６のＳ８）、その後、映像処理手段１１による映像、音声処理が行われ（図６のＳ９）、その結果として、図５に示すように表示部６に、リアルタイム映像１６が表示される（図６のＳ１０）。
【００３０】
また、（図６のＳ８）において取得したリアルタイム映像が不鮮明なときには、制御部７は、通信手段１４、１３、ネットワーク２およびアクセスポイント４を介してデータセンター３に保存された鮮明な保存映像を取得すべく動作する（図６のＳ１１）。
【００３１】
また、このとき、表示部６には、図８に示すごとく、ライブカメラ映像（リアルタイム映像）が不鮮明であると言う事と、保存映像を取得するか否かの操作表示がなされる。
【００３２】
そして、この図８において、保存映像を取得する操作部１７を操作すると、図９に示すごとく、表示部６には、前記データセンター３に保存された、前記特定の定点カメラ１から送信された鮮明な保存映像が表示されることになる（図６のＳ１２）。
【００３３】
なお、この図９の状態では、そのデータの保存日時１８も表示されるようになっている。
【００３４】
以上のごとく、本実施形態においては、特定の定点カメラ１から取得したリアルタイム映像が不鮮明な場合には、前記制御部７が、前記データセンター３に保存された、前記特
定の定点カメラ１から送信された鮮明な保存映像を取得する構成としたものであるので、鮮明な映像を基に、そのルートを選択するか、否かの判断等を行うことが出来、使い勝手の良いものとなる。
【産業上の利用可能性】
【００３５】
以上のように本発明は、表示部と、この表示部に接続された制御部と、この制御部に接続された位置検出手段、操作入力手段、データ格納手段、映像処理手段とを備え、前記制御部に、定点カメラとデータセンターとの通信が可能な通信手段を接続するとともに、前記制御部は、特定の定点カメラから取得したリアルタイム映像が不鮮明な場合に、前記データセンターに保存された、前記特定の定点カメラから送信された鮮明な保存映像を取得する構成としたものであるので、使い勝手の良いものとなる。
【００３６】
すなわち、本発明においては、前記制御部は、特定の定点カメラから取得したリアルタイム映像が不鮮明な場合に、前記データセンターに保存された、前記特定の定点カメラから送信された鮮明な保存映像を取得する構成としたものであるので、鮮明な映像を基に、そのルートを選択するか、否かの判断等を行うことが出来、使い勝手の良いものとなるのである。
【００３７】
したがって、ナビゲーション装置とそれを用いたナビゲーションシステムとしての活用が期待されるものとなる。
【符号の説明】
【００３８】
１  定点カメラ
２  ネットワーク
３  データセンター
４  アクセスポイント
５  ナビゲーション装置
６  表示部
７  制御部
８  位置検出手段
９  操作入力手段
１０  データ格納手段
１１  映像処理手段
１２  通信手段
１３  通信手段
１４  通信手段
１５  操作部
１６  リアルタイム映像
１７  操作部
１８  保存日時
【図１】
2013190261.tif 000003
【図２】
2013190261.tif 000004
【図３】
2013190261.tif 000005
【図４】
2013190261.tif 000006
【図５】
2013190261.tif 000007
【図６】
2013190261.tif 000008
【図７】
2013190261.tif 000009
【図８】
2013190261.tif 000010
【図９】
2013190261.tif 000011